Podtech/llm-jp-corpus-v4-ja_patent huggingface dataset:
【手続補正書】
【提出日】平成18年5月10日(2006.5.10)
【手続補正１】
【補正対象書類名】明細書
【補正対象項目名】０００３
【補正方法】変更
【補正の内容】
【０００３】
酵母（Saccharomyces cerevisiae）において、高級アルコールは生合成経路とエーリッヒ経路の２つから生成する。生合成経路では分枝アミノ酸生合成経路の中間体であるケト酸が脱炭酸・還元されて高級アルコールが生成し、エーリッヒ経路では培地中から取り込まれた分枝アミノ酸が脱アミノ化されてケト酸となり、やはり脱炭酸・還元されて高級アルコールに変換される（図１）。従って、高級アルコール生成量を制御するには、生合成経路を制御する方法と、エーリッヒ経路を制御する方法の２種類が考えられる。
【手続補正２】
【補正対象書類名】明細書
【補正対象項目名】０００７
【補正方法】変更
【補正の内容】
【０００７】
しかしながら、上記の分枝アミノ酸アナログ耐性株からフィードバック阻害が解除された変異株を得る方法、あるいは分枝アミノ酸生合成経路の遺伝子破壊株を得る方法の問題点は、醸造用酵母の染色体倍数性が高いことにある。すなわち、例えば醸造用酵母が２倍体であった場合、フィードバック阻害が解除された変異と同一の変異を対立遺伝子にも起こす必要があるが、そのような変異の確率は非常に低く、目的とする変異株を取得することは非常に困難である。醸造用酵母は２倍体以上であることが多く、そのような高次倍数性の酵母からすべての対立遺伝子においてフィードバック阻害が解除された変異を起こした株、あるいは全ての対立遺伝子の破壊株を取得することは、実質的には不可能である。
【手続補正３】
【補正対象書類名】明細書
【補正対象項目名】００１１
【補正方法】変更
【補正の内容】
【００１１】
なお本明細書においては、分枝アミノ酸とは、ロイシン、バリン、イソロイシンのことを意味する。
酵母（例えばSaccharomyces cerevisiae）では、分枝アミノ酸は少なくとも３種類のトランスポーターによって取り込まれる。すなわちすべてのアミノ酸を基質として取り込むことができるGeneral Amino Acid Permease (GAP1p )、分枝アミノ酸に特異的な高親和性トランスポーター、および分枝アミノ酸に特異的ではあるが低親和性のトランスポーターである。これらのうちGAP1p は外界の窒素源によってmRNAへの転写レベル、タンパク質への翻訳後のレベルでも非常に厳格な調節を受けている(J. Bacteriol. 177,94-102, 1995)から、GAP1p 遺伝子の発現調節、ひいてはGAP1p によって分枝アミノ酸取り込み能の調節を行うことは非常に困難である。また、GAP1p の特異性は非常に低いために、GAP1p を制御することによって分枝アミノ酸の取り込みだけを特異的に促進させることはできない。
【手続補正４】
【補正対象書類名】明細書
【補正対象項目名】００１５
【補正方法】変更
【補正の内容】
【００１５】
また、本発明においては、発酵初期から分枝アミノ酸を酵母細胞内に取り込ませるために、高親和性分枝アミノ酸トランスポーターをコードする遺伝子は、構成的に発現させることが好ましい。そのためのプロモーター・ターミネーターとしては、醸造用酵母中で機能するとともに、もろみ中のアミノ酸濃度の影響を受けなければ任意のプロモーター・ターミネーターの組み合わせでよい。例えば、Saccharomyces 酵母由来のものであればいずれも利用可能で、グリセルアルデヒド３ホスフェートデヒドロゲナーゼ（GAPDH）遺伝子のプロモーター・タミネーター(Hollandら、J. Biol. Chem.254, 9839,1976) 、３フォスフォグリセレートキナーゼ(PGK) 遺伝子のプロモーター・タミネーター(Tuiteら、EMBO J. vol.1,
p603 1982) 等が利用可能である。
【手続補正５】
【補正対象書類名】明細書
【補正対象項目名】００１６
【補正方法】変更
【補正の内容】
【００１６】
分枝アミノ酸取り込み能が強化された酵母を作製するための宿主酵母としては、醸造に使用可能な任意の酵母があげられる。例えばビール酵母、例えばサッカロミセス・セレビシエー（Saccharomyces cerevisiae）のＢＨ２２５、ＩＦＯ１９５１、ＩＦＯ１９５２、ＩＦＯ１９５３、ＩＦＯ１９５４などが使用できる。さらに、ウイスキー酵母（例えばサッカロミセス・セレビシエーNCYC 90 など）、ワイン酵母（例えば協会酵母ぶどう酒用１号、３号、４号等）、清酒酵母（例えば協会酵母清酒用７号、９号等）も同様に使用できる。
【手続補正６】
【補正対象書類名】明細書
【補正対象項目名】００２８
【補正方法】変更
【補正の内容】
【００２８】
発酵もろみを経時的に採取し、以下の方法で分枝アミノ酸濃度および高級アルコール濃度を測定した。
発酵もろみ10mlを遠心によって酵母菌体を除いた後、上清をアミノ酸分析機(CCP&8000、東ソー社製)で分析し、発酵もろみ中のアミノ酸濃度を測定した。図４に示すようにバリン、イソロイシン、ロイシンのいずれの分枝アミノ酸も、形質転換株ＩＢ１株では細胞内への取り込み（資化）が促進されていた。
【手続補正７】
【補正対象書類名】明細書
【補正対象項目名】図面の簡単な説明
【補正方法】変更
【補正の内容】
【図面の簡単な説明】
【図１】  図１は、分枝アミノ酸の生合成経路およびエーリッヒ経路による、高級アルコール、エステルの生成経路を示す図である。
【図２】  図２は、プラスミドpBAP2ORF#4とＹIｐ型のベクターpUP3GLP から、プラスミドpUP3BAP2の作製経路を示す図である。
記号：URA3、ウラシル要求性回復遺伝子。PGAL1 、ガラクトキナーゼGAL1プロモーター。PDR4、多剤薬剤耐性遺伝子。PGAPDH、TGAPDH、グリセルアルデヒド３ホスフェートデヒドロゲナーゼ(GAPDH) 遺伝子のプロモーター、ターミネーター。
【図３】  図３はビール試験醸造における発酵中の酵母増殖量（図３-a）およびエキスの消費経過（図３-b）を示すグラフである。
【図４】  図４はビール試験醸造における発酵もろみ中の分枝アミノ酸濃度を示す図で、a はバリンの、b はイソロイシンの、c はロイシンの資化経過を示すグラフである。
【図５】  図はビール試験醸造における発酵もろみ中の高級アルコール等の濃度を示す図で、a はイソアミルアルコールの、b はイソブタノールの、c は活性アミルアルコールの、d は酢酸イソアミルの生成経過を示すグラフである。
【手続補正８】
【補正対象書類名】図面
【補正対象項目名】図１
【補正方法】変更
【補正の内容】
【図１】
2000316559.tif 000001
【手続補正書】
【提出日】平成18年3月24日(2006.3.24)
【手続補正１】
【補正対象書類名】明細書
【補正対象項目名】請求項１
【補正方法】変更
【補正の内容】
【請求項１】  矩形枠内において、厚み方向に一定間隔隔てて対向する第１格子状部および第２格子状部がそれぞれ形成された靴拭いマットであって、
上記矩形枠を構成する矩形上枠部内に、複数の第１格子点を有する上記第１格子状部が形成された第１部材と、上記矩形枠を構成するとともに上記矩形上枠部に重なり合う矩形下枠部内に、複数の第２格子点を有する上記第２格子状部が形成された第２部材と、を備えることを特徴とする、靴拭いマット。
【手続補正２】
【補正対象書類名】明細書
【補正対象項目名】００１０
【補正方法】変更
【補正の内容】
【００１０】
【発明の開示】
上記の課題を解決するため、本願発明では、次の技術的手段を講じている。すなわち、本願発明により提供される靴拭いマットは、矩形枠内において、厚み方向に一定間隔隔てて対向する第１格子状部および第２格子状部がそれぞれ形成された靴拭いマットであって、上記矩形枠を構成する矩形上枠部内に、複数の第１格子点を有する上記第１格子状部が形成された第１部材と、上記矩形枠を構成するとともに上記矩形上枠部と重なり合う矩形下枠部内に、複数の第２格子点を有する上記第２格子状部が形成された第２部材と、を備えることを特徴としている。
【手続補正３】
【補正対象書類名】明細書
【補正対象項目名】００１９
【補正方法】変更
【補正の内容】
【００１９】
ここで、モールとは、たとえばねじられた（撚られた）針金の半径方向に多数のよこ糸が突出するとともに、これらのよこ糸が高密度に長手方向に密集した束子状の形態とされたものであるのは上述した通りである。したがって、第１格子状部と第２格子状部の間にモールを介在させた靴拭いマットでは、よこ糸の長さを適宜選択すれば、格子状部の表面からモールの毛先がはみ出したような状態とすることができる。このような状態とされた靴拭いマットでは、使用者が格子状部の上で靴を擦り付ければ、格子状部ばかりでなく、モールの毛先によっても靴の裏に付着した汚れなどを除去することができる。
【手続補正４】
【補正対象書類名】明細書
【補正対象項目名】００２９
【補正方法】変更
【補正の内容】
【００２９】
第２部材３は、図１ないし図４に示したように矩形下枠部３１内に、第２格子状部３０が設けられた構成とされている。矩形下枠部３１および第２格子状部３０は、上述した第１部材２の矩形上枠部２１および第１格子状部２０と同様な構成とされている。具体的には、図３に良く表れているように矩形下枠部３１は断面Ｕ字状とされているとともに、その外壁３３の端面には凸部３３ａおよび凹溝３３ｂが設けられている一方、第２格子状部３０は縦横に配置された複数の格子子３４によって構成されているとともに、各格子子３４の交点が第２格子点３５とされている。そして、矩形下枠部３１における外壁３３の凸部３３ａおよび凹溝３３ｂ、あるいは第２格子状部３０の第１支持柱部３５ｂおよび第２支持柱部３５ｃは、第１部材２と第２部材３とを互いに対向させた状態では、矩形上枠部２１における外壁２３の凹溝２３ｂおよび凸部２３ａ、あるいは第１格子状部２０の第２支持柱部２５ｃおよび第１支持柱部２５ｂに対応している。
【手続補正５】
【補正対象書類名】明細書
【補正対象項目名】００３４
【補正方法】変更
【補正の内容】
【００３４】
モール４は、図５に示したようにモール糸（シニョール糸）と類似の形態とされている。すなわち、ねじられた（撚られた）たて糸４０（針金などの金属線材）の交差方向に多数のよこ糸４１（麻やシュロあるいはポリプロピレン製の合成繊維など）が突出するとともに、長手方向によこ糸が密集した束子状とされている。このような形態のモール４は、たとえば金属線材を２つ折りにし、あるいは２本の金属線材を密着させてこれをたて糸４０とし、２本の金属線材の間に挟み込むような格好でよこ糸４１を金属線材の交差方向に突出させ、この状態を維持しつつ金属線材をねじる（撚る）ことによって形成される。このようなモール４は、図１および図２に良く表れているように第１格子状部２０と第２格子状部３０との間において、支持柱５によって平面方向への移動が制限されるようにして介在させられる。
【手続補正６】
【補正対象書類名】図面
【補正対象項目名】図１
【補正方法】変更
【補正の内容】
【図１】
2000316788.tif 000001
【手続補正７】
【補正対象書類名】図面
【補正対象項目名】図３
【補正方法】変更
【補正の内容】
【図３】
2000316788.tif 000002
【手続補正８】
【補正対象書類名】図面
【補正対象項目名】図６
【補正方法】変更
【補正の内容】
【図６】
2000316788.tif 000003
【手続補正書】
【提出日】平成18年3月16日(2006.3.16)
【手続補正１】
【補正対象書類名】明細書
【補正対象項目名】発明の名称
【補正方法】変更
【補正の内容】
【発明の名称】番組予約装置及び番組予約方法
【手続補正２】
【補正対象書類名】明細書
【補正対象項目名】特許請求の範囲
【補正方法】変更
【補正の内容】
【特許請求の範囲】
【請求項１】マイクから入力する音声信号を解読して認識し、該認識した音声信号に基づいて応答するための合成音声を作成することができる音声認識変換手段と、
少なくとも番組の内容を知ることができるデータをモニタに出力制御する再生処理手段と、
番組情報を受信することができる受信手段とからなり、
前記再生処理手段は、前記受信手段で受信した番組情報の番組名と前記音声認識変換手段で認識した音声信号とを比較し、一致した時に、その一致した番組名とその関連するデータを番組予約データとする機能を備えていること
を特徴とする番組予約装置。
【請求項２】前記番組名に関連するデータは、少なくとも、放送する日付け、開始時間、終了時間、放送局からなる
請求項１に記載の番組予約装置。
【請求項３】前記番組予約データを作成した時は、前記音声認識変換手段でその予約データに対応する合成音声を作成して出力するようにした
請求項１に記載の番組予約装置。
【請求項４】前記番組予約データは、モニタに表示できるようにした
請求項１に記載の番組予約装置。
【請求項５】マイクから入力する音声信号を解読して認識し、該認識した音声信号に基づいて応答するための合成音声を作成することができる音声認識変換ステップと、
少なくとも番組の内容を知ることができるデータをモニタに出力制御する再生処理ステップと、
番組情報を受信することができる受信ステップとからなり、
前記再生処理ステップは、前記受信ステップで受信した番組情報の番組名と前記音声認識変換ステップで認識した音声信号とを比較し、一致した時に、その一致した番組名とその関連するデータを番組予約データとすること
を特徴とする番組予約方法。
【請求項６】前記番組名に関連するデータは、少なくとも、放送する日付け、開始時間、終了時間、放送局からなる
請求項５に記載の番組予約方法。
【請求項７】前記番組予約データを作成した時は、前記音声認識変換手段でその予約データに対応する合成音声を作成して出力するようにした
請求項５に記載の番組予約方法。
【請求項８】前記番組予約データは、モニタに表示できるようにした
請求項５に記載の番組予約方法。
【手続補正３】
【補正対象書類名】明細書
【補正対象項目名】０００１
【補正方法】変更
【補正の内容】
【０００１】
【発明の属する技術分野】
本発明は、番組予約装置及び番組予約方法に関し、詳しくはＥＰＧを利用した音声認識による放送番組予約装置に関するものであり、ＥＰＧの放送番組情報の放送番組名と入力した音声とを比較して放送番組の予約をするようにした番組予約装置及び番組予約方法に関する。
【手続補正４】
【補正対象書類名】明細書
【補正対象項目名】０００５
【補正方法】変更
【補正の内容】
【０００５】
【課題を解決するための手段】
上記課題を解決するために、本発明に係る番組予約装置は、マイクから入力する音声信号を解読して認識し、該認識した音声信号に基づいて応答するための合成音声を作成することができる音声認識変換手段と、少なくとも番組の内容を知ることができるデータをモニタに出力制御する再生処理手段と、番組情報を受信することができる受信手段とからなり、前記再生処理手段は、前記受信手段で受信した番組情報の番組名と前記音声認識変換手段で認識した音声信号とを比較し、一致した時に、その一致した番組名とその関連するデータを番組予約データとする機能を備えていることである。
又、前記番組名に関連するデータは、少なくとも、放送する日付け、開始時間、終了時間、放送局からなること；前記番組予約データを作成した時は、前記音声認識変換手段でその予約データに対応する合成音声を作成して出力するようにしたこと；前記番組予約データは、モニタに表示できるようにしたことである。
【手続補正５】
【補正対象書類名】明細書
【補正対象項目名】０００６
【補正方法】変更
【補正の内容】
【０００６】
番組予約方法は、マイクから入力する音声信号を解読して認識し、該認識した音声信号に基づいて応答するための合成音声を作成することができる音声認識変換ステップと、少なくとも番組の内容を知ることができるデータをモニタに出力制御する再生処理ステップと、番組情報を受信することができる受信ステップとからなり、前記再生処理ステップは、前記受信ステップで受信した番組情報の番組名と前記音声認識変換ステップで認識した音声信号とを比較し、一致した時に、その一致した番組名とその関連するデータを番組予約データとすることである。
又、前記番組名に関連するデータは、少なくとも、放送する日付け、開始時間、終了時間、放送局からなること；前記番組予約データを作成した時は、前記音声認識変換手段でその予約データに対応する合成音声を作成して出力するようにしたこと；前記番組予約データは、モニタに表示できるようにしたことである。
【手続補正６】
【補正対象書類名】明細書
【補正対象項目名】０００７
【補正方法】変更
【補正の内容】
【０００７】
このように、番組情報の番組名と認識した音声信号とを比較して好みの番組を予約できるようにしたことにより、単に番組名を発声するのみで予約できるため、複雑な操作をしないで予約操作が行えるようになる。
【手続補正７】
【補正対象書類名】明細書
【補正対象項目名】０００８
【補正方法】変更
【補正の内容】
【０００８】
【発明の実施の形態】
次に、本発明に係る番組予約装置及び番組予約方法を具現化できるための、ＥＰＧを利用した音声認識による放送番組予約装置の実施の形態について図面を参照して説明する。
【手続補正８】
【補正対象書類名】明細書
【補正対象項目名】００３４
【補正方法】変更
【補正の内容】
【００３４】
【発明の効果】
以上説明したように、本発明に係る番組予約装置及び番組予約方法を具現化できるための、ＥＰＧを利用した音声認識による放送番組予約装置は、マイクから入力して認識された音声信号と番組情報の番組名とを比較させて一致した場合には、一致した番組名を予約するようにしたことにより、複雑な操作をすることなく、単に音声を発するだけで番組の予約ができるという効果がある。
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】  左右一対のクローラ装置を備えた自走機体に、機体下部前方から機体中央下部を通って機体後方に向け、先端に掘取り刃を有し、この掘取り刃に連続して該掘取り刃により掘り上げられたねぎの根部を縦姿勢に載置して揚上しながら搬送する掘取り・搬送コンベヤ装置と、この掘取り・搬送コンベヤ装置の上方に設けられ、圃場から掘り上げられたねぎの茎葉部を縦姿勢で挟持して搬送する挟持搬送ベルトと、該挟持搬送ベルトの終端部下方に設けられ、挟持搬送ベルトから排出されたねぎを調製する作業台とを備えるねぎ収穫機において、
上記作業台は、後部側を支点として開閉可能に構成されていることを特徴とするねぎ収穫機の作業台。
【請求項２】  上記作業台に、作業台下方の駆動部をカバーする駆動部カバーを連結し、作業台の開閉と共に駆動部カバーを開閉するように構成したことを請求項１記載のねぎ収穫機の作業台。
【手続補正２】
【補正対象書類名】明細書
【補正対象項目名】０００６
【補正方法】変更
【補正の内容】
【０００６】
Ａ．左右一対のクローラ装置を備えた自走機体に、機体下部前方から機体中央下部を通って機体後方に向け、先端に掘取り刃を有し、この掘取り刃に連続して該掘取り刃により掘り上げられたねぎの根部を縦姿勢に載置して揚上しながら搬送する掘取り・搬送コンベヤ装置と、この掘取り・搬送コンベヤ装置の上方に設けられ、圃場から掘り上げられたねぎの茎葉部を縦姿勢で挟持して搬送する挟持搬送ベルトと、該挟持搬送ベルトの終端部下方に設けられ、挟持搬送ベルトから排出されたねぎを調製する作業台とを備えるねぎ収穫機において、上記作業台は、後部側を支点として開閉可能に構成されている。
【手続補正３】
【補正対象書類名】明細書
【補正対象項目名】０００９
【補正方法】変更
【補正の内容】
【０００９】
(1)．上記Ａ．の構成により、作業台を、後部側を支点として開閉可能に構成することで、作業台下側の駆動部のメンテナンスを行うときは、作業台を回動させて開けることによってメンテナンスが容易に行える。
【手続補正４】
【補正対象書類名】明細書
【補正対象項目名】００２１
【補正方法】変更
【補正の内容】
【００２１】
上記エンジン４から動力を受けて変速するトランスミッション５においては、図示しないが無段変速する油圧無段変速装置（ＨＳＴ）を具備しており、変速ギヤと組み合わせて無段と有段とに変速出力するようにし、サイドクラッチ、デファレンシャル装置を介して動力伝達を接断してクローラ３，３を無段と有段とに変速走行させ、またスピン旋回（超信地旋回）を可能にしている。また、トランスミッション５から、変速された動力が各回転部に伝達され、その回転速度が無段と有段とに変速調節可能であり、この変速とクローラ３，３の無段または有段走行と組合せることにより、掘取り作業速度が自在に設定可能である。
【手続補正５】
【補正対象書類名】明細書
【補正対象項目名】００２８
【補正方法】変更
【補正の内容】
【００２８】
(1)．作業台は、後部側を支点として開閉可能に構成されているので、作業台下側の駆動部のメンテナンスを行うときには、作業台を後部支点を中心に回動させて開けることによって、駆動部の点検・整備、メンテナンスを容易に行うことができる。
【手続補正書】
【提出日】平成18年3月7日(2006.3.7)
【手続補正１】
【補正対象書類名】明細書
【補正対象項目名】請求項１
【補正方法】変更
【補正の内容】
【請求項１】  運転席前方に運転操作コラムを配備するコンバインにおいて、該運転操作コラムの右側に走行用変速レバーを配備させたことを特徴とするコンバイン。
【手続補正２】
【補正対象書類名】明細書
【補正対象項目名】０００３
【補正方法】変更
【補正の内容】
【０００３】
【課題を解決するための手段】
然るに、本発明は、運転席前方に運転操作コラムを配備するコンバインにおいて、該運転操作コラムの右側に走行用変速レバーを配備させて、機体より作業者が降りて操作コラムの右側位置で歩きながら作業を行う場合、変速レバーを容易に握って正確な変速操作を可能とさせて、機体より降りて作業を行う場合の作業性及び操作性を向上させるものである。
【手続補正３】
【補正対象書類名】明細書
【補正対象項目名】００４９
【補正方法】変更
【補正の内容】
【００４９】
【発明の効果】
以上実施例から明らかなように本発明は、運転席（１６）前方に運転操作コラム（７５）を配備するコンバインにおいて、該運転操作コラム（７５）の右側に走行用変速レバー（１８）を配備させたものであるから、機体より作業者が降りて操作コラム（７５）の右側位置で歩きながら作業を行う場合、変速レバー（１８）を容易に握って正確な変速操作を可能とさせて、機体より降りて作業を行う場合の作業性及び操作性を向上させることができるものである。
【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】エアベルトのガイド装置及びエアベルト装置
【手続補正２】
【補正対象書類名】明細書
【補正対象項目名】特許請求の範囲
【補正方法】変更
【補正の内容】
【特許請求の範囲】
【請求項１】  エアベルトを掛けるためのローラと、該ローラを回転自在に支持する支持部材とを有するエアベルトのガイド装置において、
該ローラは、軸心線方向の中央部が小径であり、軸心線方向の両端側に向って次第に径が大きくなる形状であることを特徴とするエアベルトのガイド装置。
【請求項２】  請求項１において、該ローラは、外周面の軸心線方向の断面形状が凹に湾曲した形状であることを特徴とするエアベルトのガイド装置。
【請求項３】  エアベルトを掛けるためのローラと、該ローラを回転自在に支持する支持部材とを有するエアベルトのガイド装置において、
該ローラは、軸心線方向に大径部と小径部とが繰り返し設けられた形状であることを特徴とするエアベルトのガイド装置。
【請求項４】  請求項３において、該ローラは、外周面の軸心線方向の断面形状がサインカーブ状であることを特徴とするエアベルトのガイド装置。
【請求項５】  エアベルトを掛けるためのローラと、該ローラを回転自在に支持する支持部材とを有するエアベルトのガイド装置において、
該ローラの外周面に多数の突起が設けられていることを特徴とするエアベルトのガイド装置。
【請求項６】  請求項５において、該突起は軸心線方向及び周方向のいずれにおいても間隔をおいて配置されていることを特徴とするエアベルトのガイド装置。
【請求項７】  エアベルトと、該エアベルトを膨張させるためのガス発生器と、該エアベルトが掛けられたエアベルト用ガイド装置とを有するエアベルト装置において、
該ガイド装置が請求項１ないし６のいずれか１項に記載のエアベルトのガイド装置であることを特徴とするエアベルト装置。
【手続補正３】
【補正対象書類名】明細書
【補正対象項目名】０００１
【補正方法】変更
【補正の内容】
【０００１】
【発明の属する技術分野】
本発明は、車両乗員を車両衝突時等に保護するための装置に関するものであり、特にガス発生装置からのガスによって膨張するエアベルトのガイド装置に関する。さらに詳しくは、エアベルトをローラによってガイドする装置に関する。また、本発明は、このガイド装置を備えたエアベルト装置に関する。
【手続補正４】
【補正対象書類名】明細書
【補正対象項目名】００２４
【補正方法】変更
【補正の内容】
【００２４】
【発明が解決しようとする課題】
上記特開平１１−７８７７６号のベルトガイドでは、複数本のローラ６０を採用し、エアベルトの湾曲の曲率を小さくすることによりエアベルトに皺をなるべく発生させないようにしている。本発明は、ローラが１本であってもエアベルトの皺に影響されることなくスムーズにエアベルトを案内することができるエアベルトのガイド装置と、このガイド装置を備えたエアベルト装置を提供することを目的とする。
【手続補正５】
【補正対象書類名】明細書
【補正対象項目名】００２７
【補正方法】変更
【補正の内容】
【００２７】
本発明（請求項３）のエアベルトのガイド装置は、エアベルトを掛けるためのローラと、該ローラを回転自在に支持する支持部材とを有するエアベルトのガイド装置において、該ローラは、軸心線方向に大径部と小径部とが繰り返し設けられた形状であることを特徴とするものである。この場合、ローラの外周面の軸心線方向の断面形状がサインカーブ状であることが好ましい（請求項４）。
【手続補正６】
【補正対象書類名】明細書
【補正対象項目名】００３０
【補正方法】変更
【補正の内容】
【００３０】
かかるエアベルトのガイド装置にあっては、エアベルトのローラ対向面に生じた皺が突起同士の間に入り込み、ローラがエアベルトと同調してスムーズに回転する。この結果、エアベルトがローラにスムーズに案内される。
本発明のエアベルト装置は、エアベルトと、該エアベルトを膨張させるためのガス発生器と、該エアベルトが掛けられたエアベルト用ガイド装置とを有するエアベルト装置において、該ガイド装置が請求項１ないし６のいずれか１項に記載のエアベルトのガイド装置であることを特徴とするものである。
【手続補正７】
【補正対象書類名】明細書
【補正対象項目名】００３９
【補正方法】変更
【補正の内容】
【００３９】
このローラ８０Ａは、複数の小径部８１と大径部８２とが軸心線方向に交互に配置されたものであり、外周面の軸心線方向の断面形状はサインカーブ状となっている。
【手続補正８】
【補正対象書類名】明細書
【補正対象項目名】００４５
【補正方法】変更
【補正の内容】
【００４５】
【発明の効果】
以上の通り、本発明のエアベルトのガイド装置及びエアベルト装置によると、エアベルトのローラ対向面に皺が生じても該エアベルトをスムーズに案内することが可能となる。
【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  緊急時にシートベルトの巻取軸を巻き取り方向に回転させてベルトにプリテンションを与えるプリテンショナであって；
ガスジェネレータと、
このガスジェネレータの発生するガスによって加速される一連の複数の部材を備える駆動体と、
この駆動体を案内する通路と、
上記駆動体の各部材が当たって回転駆動力を与える複数の駆動点（レバー等）を有する上記巻取軸に連結される回転部材と、を備え、
プリテンショナ作動後に、上記回転部材の駆動点近辺に残留している駆動部材を排出しやすくする機構を備えることを特徴とするプリテンショナ。
【請求項２】  上記ベルトに所定値以上の張力がかかった場合に、上記巻取軸を徐々にベルト引き出し方向に回転させるエネルギ吸収機構が付設されており、
プリテンショナ作動後にエネルギ吸収機構が作動する際に、上記通路の一部が変形又は脱落することを特徴とする請求項１記載のプリテンショナ。
【請求項３】  緊急時にシートベルトの巻取軸のベルト引き出し方向への回転を阻止するロック手段、及び、車両衝突時に前記巻取軸を瞬時にベルト巻き取り方向に回転させるプリテンショナを含むシートベルトリトラクタであって、；
該プリテンショナが請求項１又は２記載のプリテンショナであることを特徴とするシートベルトリトラクタ。
【請求項４】  シートベルト及び請求項３記載のシートベルトリトラクタを含むことを特徴とするシートベルト装置。
【手続補正２】
【補正対象書類名】明細書
【補正対象項目名】００１３
【補正方法】変更
【補正の内容】
【００１３】
【課題を解決するための手段及び発明の実施の形態】
本発明はこのような問題点に鑑みてなされたもので、本発明のプリテンショナは、緊急時にシートベルトの巻取軸を巻き取り方向に回転させてベルトにプリテンションを与えるプリテンショナであって；  ガスジェネレータと、  このガスジェネレータの発生するガスによって加速される一連の複数の部材を備える駆動体と、  この駆動体を案内する通路と、  上記駆動体の各部材が当たって回転駆動力を与える複数の駆動点（レバー等）を有する上記巻取軸に連結される回転部材と、を備え、  プリテンショナ作動後に、上記回転部材の駆動点近辺に残留している駆動部材を排出しやすくする機構を備えることを特徴とする。
本発明のシートベルトリトラクタは、緊急時にシートベルトの巻取軸のベルト引き出し方向への回転を阻止するロック手段、及び、車両衝突時に前記巻取軸を瞬時にベルト巻き取り方向に回転させるプリテンショナを含むシートベルトリトラクタであって、；該プリテンショナが上記プリテンショナであることを特徴とする。また、本発明のシートベルト装置は、シートベルト及び上記シートベルトリトラクタを含むことを特徴とする。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】 商用電源からの電力により、インバータを介してエレベータの電動機が制御され、該インバータの入力電圧を一定に制御する電源装置を備えたものにおいて、
該電源装置は複数の単電池からなるバッテリーと、該バッテリーの充電回路と放電回路とで構成し、所定の条件下では該バッテリーの放電を阻止する手段を備えたことを特徴とする交流エレベータの電源装置。
【請求項２】 商用電源からの電力により、インバータを介してエレベータの電動機が制御され、該インバータの入力電圧を一定に制御する電源装置を備えたものにおいて、
該電源装置は複数の単電池からなるバッテリーと、該バッテリーの充電回路と放電回路とで構成し、所定の条件下では該バッテリーへの充電を阻止する手段を備えたことを特徴とする交流エレベータの電源装置。
【請求項３】前記バッテリーは、複数の単電池を１郡電池として複数組の郡電池の組み合わせからなり、エレベータの容量に応じて該郡電池数を決定することを特徴とする請求項１又は請求項２に記載の交流エレベータの電源装置。
【請求項４】所定の条件下とは各単電池での充電量にバラツキが生じた時、であることを特徴とする請求項１又は請求項２に記載の交流エレベータの電源装置。
【請求項５】所定の条件下とは各郡電池での充電量にバラツキが生じた時、であることを特徴とする請求項３に記載の交流エレベータの電源装置。
【請求項６】充電量のバラツキとは、各単電池若しくは各郡電池の端子電圧どうしが所定値以上相違する状態であることを特徴とする請求項４又は請求項５に記載の交流エレベータの電源装置。
【請求項７】前記電源装置には、バッテリーへの充電或いは放電を指示する働きを持つリミッターを有する電流指令回路を備えたことを特徴とする請求項１又は請求項２に記載の交流エレベータの電源装置。
【請求項８】充電側又は放電側のリミッター値をゼロにする充電又は放電阻止手段を備えたことを特徴とする請求項７に記載の交流エレベータの電源装置。
【請求項９】該バッテリーの充電完了時に、該バッテリーの放電阻止手段を解消することを特徴とする請求項１に記載の交流エレベータの電源装置。
【請求項１０】該バッテリーの放電完了時に、該バッテリーへの充電阻止手段を解消することを特徴とする請求項２に記載の交流エレベータの電源装置。
【手続補正書】
【提出日】平成18年3月7日(2006.3.7)
【手続補正１】
【補正対象書類名】明細書
【補正対象項目名】請求項１
【補正方法】変更
【補正の内容】
【請求項１】  左右走行クローラを同一方向に同一速度で駆動する変速部材と、左右走行クローラの旋回用操向部材を設けるクローラ走行車において、左右走行クローラ速度を検出する車速センサと、操向ハンドル切角を検出する操向角度センサと、変速レバー操作位置を検出する変速センサを設け、操向ハンドル切角によって決定される旋回半径になるように左右走行クローラ速度を自動制御するように構成したことを特徴とするクローラ走行車。
【手続補正２】
【補正対象書類名】明細書
【補正対象項目名】０００３
【補正方法】変更
【補正の内容】
【０００３】
【課題を解決するための手段】
然るに、本発明は、左右走行クローラを同一方向に同一速度で駆動する変速部材と、左右走行クローラの旋回用操向部材を設けるクローラ走行車において、左右走行クローラ速度を検出する車速センサと、操向ハンドル切角を検出する操向角度センサと、変速レバー操作位置を検出する変速センサを設け、操向ハンドル切角によって決定される旋回半径になるように左右走行クローラ速度を自動制御するように構成したもので、左右走行クローラ速度と操向ハンドル切角または変速レバー操作位置との対比によって変速部材または操向部材を制御し得、走行クローラの駆動効率または操作系の制御量が不均一に変化しても、操向ハンドル切角と走行クローラ速度の関係を略一定維持し得、操向ハンドル切角によって決定する旋回半径が一定になって良好な操作フィーリングを容易に得られ、運転操作性の向上並びに変速部材及び操向部材などの制御構造の簡略化などを容易に図り得るものである。
【手続補正３】
【補正対象書類名】明細書
【補正対象項目名】００４３
【補正方法】変更
【補正の内容】
【００４３】
上記のように、変速具である主変速レバー（７３）操作によって変速部材（２５）を作動させて左右走行クローラ（２）の両方を同一方向に同一速度で駆動して増速または減速させると共に、操向具である操向ハンドル（１９）操作によって左右走行クローラ（２）を旋回させるクローラ作業車において、旋回外側走行クローラ（２）の回転数と旋回内側走行クローラ（２）の回転数の比を略一定に保ち乍ら左右走行クローラ（２）を変速制御する。そして、操向ハンドル（１９）操作によって左または右方向に旋回しているとき、主変速レバー（７３）操作によって左右走行クローラ（２）を増速または減速させて車速を変更しても旋回半径が略一定に維持され、四輪自動車と略同様の運転感覚で操向及び変速の各操作を行え、走行変更操作に伴う進路の修正などを不要にし、例えば作物列に沿わせる走行または圃場枕地での次作業工程位置への方向転換などを容易に行える。
【手続補正４】
【補正対象書類名】明細書
【補正対象項目名】００５２
【補正方法】変更
【補正の内容】
【００５２】
上記のように、左右走行クローラ（２）を同一方向に同一速度で駆動する変速部材（２５）と、左右走行クローラ（２）の旋回用操向部材（２８）を設けるクローラ走行車において、左右走行クローラ（２）速度を検出する左右車速センサ（１１８）（１１９）と、操向ハンドル（１９）切角を検出する操向角度センサ（１１３）と、主変速レバー（７３）操作位置を検出する主変速センサ（１１１）を設け、操向ハンドル（１９）切角によって決定される旋回半径になるように左右走行クローラ（２）速度を自動制御するように構成し、左右走行クローラ（２）速度と操向ハンドル（１９）切角または主変速レバー（７３）操作位置との対比によって変速部材（２５）または操向部材（２８）を制御し、走行クローラ（２）の駆動効率または操作系の制御量が不均一に変化しても、操向ハンドル（１９）切角と走行クローラ（２）速度の関係を略一定維持し、操向ハンドル（１９）切角によって決定する旋回半径が一定になって良好な操作フィーリングを容易に得られ、運転操作性の向上並びに変速部材（２５）及び操向部材（２８）などの制御構造の簡略化などを図る。
【手続補正５】
【補正対象書類名】明細書
【補正対象項目名】００６２
【補正方法】変更
【補正の内容】
【００６２】
【発明の効果】
以上実施例から明らかなように本発明は、左右走行クローラ（２）を同一方向に同一速度で駆動する変速部材（２５）と、左右走行クローラ（２）の旋回用操向部材（２８）を設けるクローラ走行車において、左右走行クローラ（２）速度を検出する車速センサ（１１８）（１１９）と、操向ハンドル（１９）切角を検出する操向角度センサ（１１３）と、変速レバー（７３）操作位置を検出する変速センサ（１１１）を設け、操向ハンドル（１９）切角によって決定される旋回半径になるように左右走行クローラ（２）速度を自動制御するように構成したもので、左右走行クローラ（２）速度と操向ハンドル（１９）切角または変速レバー（７３）操作位置との対比によって変速部材（２５）または操向部材（２８）を制御でき、走行クローラ（２）の駆動効率または操作系の制御量が不均一に変化しても、操向ハンドル（１９）切角と走行クローラ（２）速度の関係を略一定維持でき、操向ハンドル（１９）切角によって決定する旋回半径が一定になって良好な操作フィーリングを容易に得ることができ、運転操作性の向上並びに変速部材（２５）及び操向部材（２８）などの制御構造の簡略化などを容易に図ることができるものである。
【手続補正書】
【提出日】平成18年3月7日(2006.3.7)
【手続補正１】
【補正対象書類名】明細書
【補正対象項目名】請求項１
【補正方法】変更
【補正の内容】
【請求項１】 左右走行クローラを同一方向に同一速度で駆動する変速部材と、左右走行クローラの旋回用操向部材を設けるクローラ走行車において、操向角度センサ及び変速センサの検出結果に基づき決定される左右走行クローラ速度変化の制御基準値を予め記憶させ、前記制御基準値を旋回感度設定器によって補正するように構成したことを特徴とするクローラ走行車。
【手続補正２】
【補正対象書類名】明細書
【補正対象項目名】０００３
【補正方法】変更
【補正の内容】
【０００３】
【課題を解決するための手段】
然るに、本発明は、左右走行クローラを同一方向に同一速度で駆動する変速部材と、左右走行クローラの旋回用操向部材を設けるクローラ走行車において、操向角度センサ及び変速センサの検出結果に基づき決定される左右走行クローラ速度変化の制御基準値を予め記憶させ、前記制御基準値を旋回感度設定器によって補正するように構成したもので、前記制御基準値（制御マップ）に基づく平均的な走行クローラの操向または変速制御と、走行路面（圃場）条件または作業者の希望走行フィーリングに適応した操向または変速制御を容易に得られ、運転操作性の向上などを容易に図り得るものである。
【手続補正３】
【補正対象書類名】明細書
【補正対象項目名】００４２
【補正方法】変更
【補正の内容】
【００４２】
上記のように、変速具である主変速レバー（７３）操作によって変速部材（２５）を作動させて左右走行クローラ（２）の両方を同一方向に同一速度で駆動して増速または減速させると共に、操向具である操向ハンドル（１９）操作によって左右走行クローラ（２）を旋回させるクローラ作業車において、旋回外側走行クローラ（２）の回転数と旋回内側走行クローラ（２）の回転数の比を略一定に保ち乍ら左右走行クローラ（２）を変速制御する。そして、操向ハンドル（１９）操作によって左または右方向に旋回しているとき、主変速レバー（７３）操作によって左右走行クローラ（２）を増速または減速させて車速を変更しても旋回半径が略一定に維持され、四輪自動車と略同様の運転感覚で操向及び変速の各操作を行え、走行変更操作に伴う進路の修正などを不要にし、例えば作物列に沿わせる走行または圃場枕地での次作業工程位置への方向転換などを容易に行える。
【手続補正４】
【補正対象書類名】明細書
【補正対象項目名】００５８
【補正方法】変更
【補正の内容】
【００５８】
【発明の効果】
以上実施例から明らかなように本発明は、左右走行クローラ（２）を同一方向に同一速度で駆動する変速部材（２５）と、左右走行クローラ（２）の旋回用操向部材（２８）を設けるクローラ走行車において、操向角度センサ（１１３）及び変速センサ（１１１）の検出結果に基づき決定される左右走行クローラ（２）速度変化の制御基準値を予め記憶させ、前記制御基準値を旋回感度設定器（１１７）によって補正するように構成したもので、前記制御基準値（制御マップ）に基づく平均的な走行クローラ（２）の操向または変速制御と、走行路面（圃場）条件または作業者の希望走行フィーリングに適応した操向または変速制御を容易に得ることができ、運転操作性の向上などを容易に図ることができるものである。
【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】
左右走行クローラを同一方向に同一速度で駆動する変速部材と、左右走行クローラの旋回用操向部材を設けるクローラ走行車において、左右走行クローラ速度を検出する車速センサと、操向ハンドル切角を検出する操向角度センサと、変速レバー操作位置を検出する変速センサを設け、操向ハンドル切角によって決定される旋回半径になるように左右走行クローラ速度を自動制御するように構成したことを特徴とするクローラ走行車。
【請求項２】
変速部材または操向部材の出力が、停止乃至最大出力の途中で、直線的な変化よりも大きくなるように構成したことを特徴とする請求項１に記載のクローラ走行車。
【請求項３】
操向角度センサ及び変速センサの検出結果に基づき決定される左右走行クローラ速度変化の制御基準値を予め記憶させ、前記制御基準値を旋回感度設定器によって補正するように構成したことを特徴とする請求項１に記載のクローラ走行車。
【請求項４】
左右走行クローラを同一方向に同一速度で駆動する変速部材と、左右走行クローラの旋回用操向部材を設けるクローラ走行車において、
操向ハンドル切角を検出する操向角度センサと、変速レバー切換位置を検出する変速センサと、変速部材及び操向部材の出力回転を検出するクローラ回転センサを設け、前記各センサの検出結果に基づき左右走行クローラ速度を演算して左右走行クローラ速度を自動制御するように構成したことを特徴とするクローラ走行車。
【手続補正２】
【補正対象書類名】明細書
【補正対象項目名】０００３
【補正方法】変更
【補正の内容】
【０００３】
【課題を解決するための手段】
然るに、本発明は、左右走行クローラを同一方向に同一速度で駆動する変速部材と、左右走行クローラの旋回用操向部材を設けるクローラ走行車において、走行クローラの走行路面条件によって走行クローラのスピンターンを許可または禁止操作するスピンターンスイッチを設けたもので、スピンターンスイッチ操作によって湿田などでの走行クローラのスピンターンを容易に阻止し得、同一の圃場で全体的に乾田で一部が湿田のときでも作業を中断させることなくスピンターンスイッチ操作によってスピンターンの禁止及び許可の切換を行い得、走行クローラの走行性能を路面条件に適応させて維持し得るものである。
【手続補正３】
【補正対象書類名】明細書
【補正対象項目名】００４２
【補正方法】変更
【補正の内容】
【００４２】
上記のように、変速具である主変速レバー（７３）操作によって変速部材（２５）を作動させて左右走行クローラ（２）の両方を同一方向に同一速度で駆動して増速または減速させると共に、操向具である操向ハンドル（１９）操作によって左右走行クローラ（２）を旋回させるクローラ作業車において、旋回外側走行クローラ（２）の回転数と旋回内側走行クローラ（２）の回転数の比を略一定に保ち乍ら左右走行クローラ（２）を変速制御する。そして、操向ハンドル（１９）操作によって左または右方向に旋回しているとき、主変速レバー（７３）操作によって左右走行クローラ（２）を増速または減速させて車速を変更しても旋回半径が略一定に維持され、四輪自動車と略同様の運転感覚で操向及び変速の各操作を行え、走行変更操作に伴う進路の修正などを不要にし、例えば作物列に沿わせる走行または圃場枕地での次作業工程位置への方向転換などを容易に行える。
【手続補正４】
【補正対象書類名】明細書
【補正対象項目名】００５９
【補正方法】変更
【補正の内容】
【００５９】
【発明の効果】
以上実施例から明らかなように本発明は、左右走行クローラ（２）を同一方向に同一速度で駆動する変速部材（２５）と、左右走行クローラ（２）の旋回用操向部材（２８）を設けるクローラ走行車において、走行クローラ（２）の走行路面条件によって走行クローラ（２）のスピンターンを許可または禁止操作するスピンターンスイッチ（１２９）を設けたもので、スピンターンスイッチ（１２９）操作によって湿田などでの走行クローラ（２）のスピンターンを容易に阻止でき、同一の圃場で全体的に乾田で一部が湿田のときでも作業を中断させることなくスピンターンスイッチ（１２９）操作によってスピンターンの禁止及び許可の切換を行うことができ、走行クローラ（２）の走行性能を路面条件に適応させて維持できるものである。
【手続補正書】
【提出日】平成18年9月20日(2006.9.20)
【手続補正１】
【補正対象書類名】明細書
【補正対象項目名】請求項１
【補正方法】変更
【補正の内容】
【請求項１】
下記の化学式（Ｉ）又は（ＩＩ）で表されるアミノ酸配列を含有し、１０〜５０個のアミノ酸残基からなるペプチド。
【化１】
2001163897.tif 000001
（式中、ＸはＡｒｇ、Ｈｉｓ又はＬｙｓを表す。）
【化２】
2001163897.tif 000002
（式中、ＸはＡｒｇ、Ｈｉｓ又はＬｙｓを表す。）
【手続補正２】
【補正対象書類名】明細書
【補正対象項目名】０００５
【補正方法】変更
【補正の内容】
【０００５】
〔課題を解決するための手段〕
本発明者らは、このような吸着材を得るため鋭意検討を重ね、特定のペプチドを担体に固定化した吸着材が上記目的に適う吸着材であることを見出し、本発明に至った。すなわち、本発明は、下記の化学式（Ｉ）又は（ＩＩ）で表されるアミノ酸配列を含有し、１０〜５０個のアミノ酸残基からなるペプチドである。なお、式中、ＸはＡｒｇ、Ｈｉｓ又はＬｙｓである。 また、本発明のもう一つの発明は、上記ペプチドを担体に固定化した吸着材である。
【化３】
2001163897.tif 000003
【化４】
2001163897.tif 000004
【手続補正３】
【補正対象書類名】明細書
【補正対象項目名】０００６
【補正方法】変更
【補正の内容】
【０００６】
〔発明の実施の形態〕
本発明のペプチドは、化学式（Ｉ）又は（ＩＩ）で表されるアミノ酸配列を含有し、１０〜５０個のアミノ酸残基からなる。なお、本発明において、各種アミノ酸残基は次の略号で記述する。また本発明においては、常法に従ってペプチドのアミノ酸配列を、そのＮ末端のアミノ酸残基が左側に位置し、Ｃ末端のアミノ酸配列が右側に位置するように記述する。
Ａｒｇ: Ｌ−アルギニン残基
Ａｓｎ: Ｌ−アスパラギン残基
Ｇｌｎ: Ｌ−グルタミン残基
Ｇｌｙ: グリシン残基
Ｈｉｓ: Ｌ−ヒスチジン残基
Ｌｙｓ: Ｌ−リジン残基
Ｐｈｅ: Ｌ−フェニルアラニン残基
Ｐｒｏ: Ｌ−プロリン残基
Ｓｅｒ: Ｌ−セリン残基
Ｔｈｒ: Ｌ−スレオニン残基
Ｔｒｐ: Ｌ−トリプトファン残基
Ｖａｌ: Ｌ−バリン残基
【手続補正４】
【補正対象書類名】明細書
【補正対象項目名】００１８
【補正方法】変更
【補正の内容】
【００１８】
（３） 上記（２）で得られた粗生成物を、分取用高速液体クロマトグラフィー（カラム：デルタパックＣ１８ ４７×３００ｍｍ プレップパック１０００加圧モジュール付）（ミリポア・ウォーターズ社製）で精製し、それにより得られた精製ペプチドを、分析用高速液体クロマトグラフィー（島津製作所製「ＬＣ６Ａ」、カラム：東ソー株式会社製「ＴＳＫｇｅｌ ＯＤＳ−８０ＴＭ ＣＴＲ」、移動相：トリフルオロ酢酸を０．０５容量％含有するアセトニトリルと水の混合溶媒）に付し、アセトニトリル濃度を３０分間で５容量％から５０容量％に徐々に変化させたところ、１１．８分の位置に単一のピークが示された。ＦＡＢ（高速原子衝撃）法マススペクトルにより求めた精製ペプチドの分子量は１５０７であり（分子量の理論値＝１５０７ ）、化学式（ＩＩ）で表されるペプチドであることを確認した。結果を表１及び表２に示す。
【手続補正５】
【補正対象書類名】明細書
【補正対象項目名】００２２
【補正方法】変更
【補正の内容】
【００２２】
実施例３〜４、比較例１〜２
注射用蒸留水（大塚製薬社製）にＬＰＳ（生化学工業社製）を添加した溶液０．５ｍｌに、前記吸着材１及び２を各々５０ｍｇ（実施例３〜４）、コントロールとして未処理の粒子状担体（セルロース粒子：チッソ（株）製ＣＭセルロファイン）５０ｍｇ（比較例１）、活性炭（クレハ化学）５０ｍｇ（比較例２）を各々加え、３７℃で２時間懸濁させた。得られた懸濁物を遠心分離し、上清を得た。得られた上清中のエンドトキシン濃度をエンドトキシンＳＰテスト（生化学工業（株）社製）を用いて測定した。吸着除去率を、吸着除去率（％）＝（コントロール液の濃度−試験液の濃度）／（コントロール液の濃度）により算出し、結果を表３に示した。
【手続補正６】
【補正対象書類名】明細書
【補正対象項目名】００２３
【補正方法】変更
【補正の内容】
【００２３】
表３から本発明の効果は明らかである。また、本発明で得た吸着材は、滅菌処理しても、長期間保存した後に使用しても殆ど同じ吸着能を示した。
【手続補正書】
【提出日】平成18年4月4日(2006.4.4)
【手続補正１】
【補正対象書類名】明細書
【補正対象項目名】０００２
【補正方法】変更
【補正の内容】
【０００２】
【従来の技術】
従来、ガラスなどの平滑面上に描画する固形描画材として種々検討されており、その構成としては一般的に顔料などの着色材、ワックス、界面活性剤、樹脂、体質材などが用いられている（特許文献１参照）（特許文献２参照）（特許文献３参照）。
【手続補正２】
【補正対象書類名】明細書
【補正対象項目名】０００３
【補正方法】変更
【補正の内容】
【０００３】
【特許文献１】特開昭５７−９２０６９号公報
【特許文献２】特開平６−２８７５０１号公報
【特許文献３】特開平９−１４３４１８号公報